(57)【特許請求の範囲】
【請求項１】
操作体（８０）による移動操作が行われ、平面状の平面操作面（１１１、１１３、１１４）、および、前記平面操作面とつながり、前記操作体側に凸状に湾曲した湾曲操作面（１１２、１１２ａ）を有する操作部（１１）と、
前記平面操作面および前記湾曲操作面とは反対側に設けられ、前記操作体との距離に基づき電気的な変化を生じさせるセンサ部（１２２）とを備える操作装置であって、
前記センサ部は、前記平面操作面に沿って設けられた平面センサ部（２１１、２２３、２２４）と、前記平面センサ部と連なり前記湾曲操作面に沿って設けられた湾曲センサ部（２２２、２２２ａ）とを有し、
前記移動操作において、前記湾曲センサ部の分解能は前記平面センサ部の分解能に比べて高いことを特徴とする操作装置。
【請求項２】
前記平面センサ部および前記湾曲センサ部は、前記電気的変化である静電容量変化を検出するために、前記移動操作の方向に沿って配置された複数の電極（２２５）を有し、
前記湾曲センサ部での前記電極間の距離は、前記平面センサ部での前記電極間の距離に比べて短いことを特徴とする請求項１に記載の操作装置。
【発明の詳細な説明】
【技術分野】
【０００１】
本発明は操作装置に関する。
【背景技術】
【０００２】
従来、特許文献１のように、タッチパネルを用いた操作装置が知られている。この操作装置では、操作者が例えば操作体として指をタッチパネルの操作面に接触させた状態で移動操作（なぞり操作）を行うと、タッチパネルの静電容量センサがこの移動操作を検知するようになっている。そして、タッチパネルの操作面に沿う方向の移動操作に対する、タッチパネル（静電容量センサ）の分解能は特定の領域によらず一定である。
【先行技術文献】
【特許文献】
【０００３】
【特許文献１】特開２０１１−１１８５１１号公報
【発明の概要】
【発明が解決しようとする課題】
【０００４】
ここで、近年、上記操作面を湾曲した形状とする操作装置が存在している。具体的に、この操作装置では、湾曲した操作面の裏側に沿って静電容量センサが設けられることで、湾曲した操作面に沿う操作体の移動操作を検知することが出来る。
【０００５】
そこで、本発明者は、このような湾曲した操作面を有する操作装置として、以下の２つの構成を検討し、以下の課題を見出した。
【０００６】
（１）平面状の操作面（以下、平面操作面）と、この操作面に連続してつながった湾曲した操作面（以下、湾曲操作面）とを備えた操作装置を操作する場合。
【０００７】
この場合において、操作者が湾曲操作面を移動操作する場合、平面操作面を移動操作する場合に比べ操作体による移動量が相対的に少ない傾向があることを本発明者らは発見した。そのため、上述した従来の操作装置では、湾曲操作面に対する操作体の移動操作を検知することが出来ない場合が生じた。
【０００８】
（２）湾曲操作面にて異なる操作を行う操作装置である場合。
【０００９】
この場合も、操作者が湾曲操作面の一部分だけを移動操作する場合、湾曲操作面を大きく移動操作する場合に比べ、操作体による移動量が相対的に少ない。そのため、上述した従来の操作装置では、湾曲操作面に対する操作体の移動操作を検知することが出来ない場合が生じた。
【００１０】
そして、上記（１）（２）のように、相対的に少ない移動量で移動操作が行われた場合でも、移動操作をより正確に検知するためには、移動操作に対するタッチパネル（例えば、静電容量センサ）の分解能を高める必要がある。しかしながら、タッチパネル全体において一律に分解能を高めると、タッチパネルの製造コストが高くなる可能性がある。
【００１１】
本発明は上記課題を鑑みて、その目的は、タッチパネルの製造コストが高くなることを防ぎつつ、湾曲面に対する移動操作をより確実に検知することが出来る操作装置を提供することである。
【課題を解決するための手段】
【００１２】
上記目的を達成するために、請求項１に記載の発明は、操作体による移動操作が行われ、平面状の平面操作面、および、平面操作面とつながり、操作体側に凸状に湾曲した湾曲操作面を有する操作部と、平面操作面および湾曲操作面とは反対側に設けられ、操作体との距離に基づき電気的な変化を生じさせるセンサ部とを備える操作装置であって、センサ部は、平面操作面に沿って設けられた平面センサ部と、平面センサ部と連なり湾曲操作面に沿って設けられた湾曲センサ部とを有し、移動操作において、湾曲センサ部の分解能は平面センサ部の分解能に比べて高いことを特徴とする。
【００１３】
このようにすると、上記操作装置は、操作体の平面操作面に沿う移動操作に比べ、操作体の湾曲操作面に沿う移動操作をより細かい範囲で検知することが出来る。そのため操作装置は、湾曲操作面に沿う移動操作をより確実に検知することが可能となる。また、移動操作に対するセンサ部の分解能をセンサ部全体において高くしないため、センサ部の製造コストが高くなることを低減することが出来る。
【図面の簡単な説明】
【００１６】
【図１】第一実施形態において操作装置と一体型の表示装置が、自車両に配置される様子を示している。
【図２】第一実施形態における表示装置を示した図である。
【図３】第一実施形態における表示装置が操作される様子を示す１つ目の例である。
【図４】第一実施形態における表示装置が操作される様子を示す２つ目の例である。
【図５】第一実施形態における表示装置が操作される様子を示す３つ目の例である。
【図６】第一実施形態における表示装置の構成を示すブロック図である。
【図７】第一実施形態における表示装置を上下方向に切断し、右方向から見た断面図である。
【図８】第一実施形態における表示装置を左右方向に切断し、手前方向から見た図である。
【図９】第一実施形態におけるセンサ部の分解能を説明するための図である。
【図１０】第二実施形態における操作装置を説明するための図である。
【図１１】その他の実施形態におけるセンサ部の分解能を説明するための図である。
【発明を実施するための形態】
【００１７】
以下、本発明の一実施形態について、図面を参照しつつ説明する。以下、図面を参照しながら発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１８】
（第一実施形態）
まずは、本実施例での表示装置１の概略について説明する。
【００１９】
図１に示すように、本実施形態における表示装置１は、車両に配置された例である。表示装置１は、車両のステアリングホイール９０の左側のセンターコンソール上部で、ダッシュボードの中央部（車両幅方向の中央部）に設けられている。そして、本実施形態の表示装置１は、エアコン、オーディオの操作画面等の車両各種機器の情報を表示するとともに、タッチ操作にて各種機器を操作することが出来るマルチインフォメーションディスプレイ装置である。図１に示すように表示装置１は、外観としては板状となっており、センターコンソールから上方に向けて立ち上がるように設けられている。
【００２０】
次に図２を用いて、表示装置１が画像を表示する様子を説明する。図２は、表示装置１にエアコンの操作画面が表示されている例で、操作者が接触操作（タッチ操作）するための各種意匠アイコンが表示された状態を示している。
【００２１】
本実施例での特徴的な構成として、表示装置１は、図２に示すような上記意匠アイコンが表示される面、つまり、板状の板面がタッチパネルとしての操作面となっているとともに、板状の表示装置１の側面もタッチパネルの操作面となっている。具体的には以下の通りである。
【００２２】
まず、本実施形態において、図２に示すように表示装置１にて、表示する画像が見える手前側に位置する上記板面を前面１１０と呼び、前面１１０とは反対面を奥面と呼ぶ。そして、前面１１０と奥面とにおいて、前面１１０側を手前方向と呼び、奥面側は奥方向（車両前方方向）と呼ぶ。そして、前面１１０を手前方向から見て、右方向を右方向、左方向を左方向、上方向を上方向、下方向を下方向とする。そして、左右方向は車両幅方向である。なお、前面１１０はタッチ操作の操作面となっている。
【００２３】
また、図２に示すように、表示装置１は、上記側面として、前面１１０の上端から板厚方向に延びる平面状の上面１１１を有している。この上面１１１は、板状の表示装置１の天面をなすもので車両幅方向に延びて構成されている。また、表示装置１は、表示装置１の上記側面の１つとして、表示装置１の前面１１０の右端から奥方向に延びる面である右側面１１３を有している。同様にして、表示装置１は、表示装置１の前面１１０の左端から奥方向に延びる面である左側面１１４を有している。
【００２４】
さらには、表示装置１は、上記側面として、上面１１１と右側面１１３との間に、これらをつないで連なる、湾曲した湾曲面１１２を有している。一方、表示装置１は、上記側面として、上面１１１と左側面１１４との間に、これをつないで連なる、湾曲した湾曲面１１２ａを有している。湾曲面１１２、湾曲面１１２ａは、表示装置１全体からみると、操作体側に凸形状に湾曲した面となっている。
【００２５】
上述した通り、前面１１０、上面１１１、湾曲面１１２、湾曲面１１２ａ、右側面１１３、左側面１１４は、タッチ操作を行うための操作面となっており、実際には操作プレート１１にて一体的に形成されている。なお、上面１１１および右側面１１３、左側面１１４が、本実施形態における平面操作面である。そして、湾曲面１１２、湾曲面１１２ａが本実施形態における湾曲操作面である。そして、操作プレート１１が本実施形態における操作部である。
【００２６】
次に、図３〜図５を用いて、操作者が表示装置１を操作した様子を説明する。図３は、図２の状態から操作者が表示装置１を操作した例である。本実施形態において、操作体は操作者の手（指）８０である。図３では、手８０が表示装置１の上面１１１に触れながら、左から右に移動操作を行った後の様子を表している。なお、手８０が操作面に触れながら操作面を移動する操作を、以下、単に移動操作と呼ぶ。このように上面１１１に移動操作が行われると、表示装置１は、図２のエアコンの操作画面からオーディオ操作画面１３１に切り替わる。
【００２７】
図４は、図３のオーディオ操作画面において、手８０が湾曲面１１２の頂点１１２１及びその周辺のみに対して移動操作を行った後の例を示している。ここでいう頂点１１２１は、操作面のうち凸形状の先端部分となる。図４は、手８０が湾曲面１１２全体ではなく、湾曲面１１２の頂点１１２１及びその周辺のみに対して斜め下に短い距離だけ移動操作された直後を表している。頂点１１２１周辺のみに対して斜め下に移動操作が行われると、表示装置１はオーディオの音量（Ｖｏｌｕｍｅ）を一段階低下させる。
【００２８】
図５は、図３から手８０が湾曲面１１２全体に対して長い距離だけ移動操作を行った場合の例を示している。例えば、図５において手８０は、湾曲面１１２の全体を斜め下に移動操作を行っている。
【００２９】
湾曲面１１２全体に対して斜め下に移動操作が行われると、表示装置１は、音量を一気に二段階低下させる。すなわち、手８０が湾曲面１１２全体に対して移動操作を行った場合と頂点１１２１周辺のみに対して移動操作を行った場合とで、表示装置１は異なる操作制御を行う。
【００３０】
次に、図６を用いて、本実施形態における表示装置１の具体的な構成を説明する。  表示装置１は、操作装置１０と表示部１３とを備えている。操作装置１０は、上述した上面１１１、湾曲面１１２、湾曲面１１２ａ、右側面１１３、左側面１１４を構成する操作プレート１１を含んでいる。
【００３１】
操作装置１０は、上記操作プレート１１以外に、前面タッチセンサ１２１、側面タッチセンサ１２２、及び制御部１０ａ等から構成されている。
【００３２】
前面タッチセンサ１２１は、上記意匠アイコンに対する接触操作を検知するためのものである。前面タッチセンサ１２１は、複数の透明電極等から構成されており、各電極には、あらかじめ静電容量が生じている。そして、手８０が電極に接近すると、接近した電極に生じる静電容量は、手８０が接近していない場合の静電容量に比べ変化する。また、手８０の接近度合いにより、電極に生じる静電容量の変化幅は異なる。具体的に、手８０と電極との距離が近いほど、その電極に生じる静電容量の変化幅は大きい。
【００３３】
また、制御部１０ａは、前面タッチセンサ１２１の各電極から静電容量を検知する。そして、制御部１０ａは、あらかじめ記憶しておいた、手８０が接近していないときの静電容量と、現在取得した静電容量とを比較する。そして、変化幅が所定の閾値を超えた電極を検知する。なお、静電容量の変化幅が所定の閾値を超えた電極が複数ある場合、複数の電極の重心で手８０の接近箇所（上記意匠アイコンへの操作）を検知する。
【００３４】
側面タッチセンサ１２２は、操作プレート１１の上面１１１、湾曲面１１２、湾曲面１１２ａ、右側面１１３、左側面１１４に対する移動操作を検知するためのものである。側面タッチセンサ１２２は、複数の透明電極等から構成されている。各電極には、あらかじめ静電容量が生じている。そして、手８０が電極に接近すると、接近した電極に生じる静電容量は、手８０が接近していない場合の静電容量に比べ変化する。また、手８０の接近度合いにより電極に生じる静電容量の変化幅は異なる。具体的には、手８０と電極との距離が近いほど、その電極に生じる静電容量の変化幅は大きい。そして、操作者の指等、手８０が接近すると、手８０が接近した電極に生じる静電容量が変化する。
【００３５】
また、側面タッチセンサ１２２の各電極は、制御部１０ａと接続されている。そのため、制御部１０ａは、側面タッチセンサ１２２の各電極から静電容量を検知する。そして、制御部１０ａは、あらかじめ記憶しておいた手８０が接近していないときの静電容量と、現在、取得した静電容量とを比較する。そして、変化幅が所定の閾値を超えた電極を検知する。なお、静電容量の変化幅が所定の閾値を超えた電極が複数ある場合、複数の電極の重心で手８０の接近箇所を検知する。
【００３６】
さらに制御部１０ａは、オーディオを制御するオーディオＥＣＵ７１と接続されている。また、制御部１０ａは、エアコンＥＣＵ７２と接続されている。制御部１０ａは、各種演算処理を行うプロセッサ、演算処理の作業領域として機能するＲＡＭ、及び演算処理に用いられるプログラム等が格納されたフラッシュメモリ等を備えた、マイクロコンピュータ等により構成されている。そのため、制御部１０ａは、記憶されたプログラムに基づいて、演算処理を行う。
【００３７】
表示部１３は、液晶パネル及びバックライト等から構成されている。バックライトによって液晶パネルが照明されることで、液晶パネルに画像が表示される。そのため、表示部１３は、上述したエアコン操作画面、オーディオ操作画面を表示することが出来る。なお、表示部１３に表示される画像も、制御部１０ａによって制御される。具体的には、前面タッチセンサ１２１及び側面タッチセンサ１２２から検知した静電容量に基づいて、制御部１０ａは表示部１３に表示される画像を制御する。これにより、例えば、図２から図３、図３から図４、図３から図５のような画面遷移を行うことが可能となる。
【００３８】
また、制御部１０ａは、オーディオＥＣＵ７１及びエアコンＥＣＵ７２等を制御する。具体的には、前面タッチセンサ１２１及び側面タッチセンサ１２２から検知した静電容量に基づいて、制御部１０ａはオーディオＥＣＵ７１やエアコンＥＣＵ７２に信号を出力する。そして、オーディオＥＣＵ７１は、制御部１０ａから受信した信号に基づいて、オーディオを制御する。同様に、エアコンＥＣＵ７２は、制御部１０ａから受信した信号に基づいて、エアコンを制御する。すなわち、制御部１０ａは、各種車載機器に信号を出力する。例えば、制御部１０ａは、上述の通り、音量を１段階、２段階といったようにオーディオＥＣＵ７１にその旨の指令を出力する。
【００３９】
図７は、図２の表示装置１を上下方向に切断し、右方向から見たＶＩＩ−ＶＩＩ断面図を示している。図７に示すように、前面タッチセンサ１２１は、操作プレート１１の前面１１０より奥方向に前面１１０に沿って設けられている。
【００４０】
このため、前面１１０に対して手８０が接近すると、前面１１０の手８０が接近した位置に対応する前面タッチセンサ１２１の電極の静電容量が変化する。そして、制御部１０ａは、この電極の静電容量の変化を検知することが出来る。従って、制御部１０ａは、手８０が前面１１０のどの位置に接近したかを検知することが出来る。
【００４１】
表示部１３は、前面タッチセンサ１２１よりさらに奥方向に設けられている。ここで、操作プレート１１及び手前面タッチセンサ１２１は透明部材から構成されている。そのため、表示部１３に表示される画像は、操作プレート１１及び前面タッチセンサ１２１を介して、手前方向から視認することが出来る。
【００４２】
図８は、図２において、表示装置１の上面１１１を左右方向に切断し、手前方向から見たＶＩＩＩ―ＶＩＩＩ断面図である。図９は、図８の円Ａの部分の側面タッチセンサ１２２の詳細図である。
【００４３】
図８に示すように、側面タッチセンサ１２２は、操作プレート１１と共に湾曲している。すなわち、側面タッチセンサ１２２は、操作プレート１１の左側面１１４、湾曲面１１２ａ、上面１１１、湾曲面１１２、及び右側面１１３に沿って、操作面とは反対側に設けられている。
【００４４】
具体的には、操作プレート１１の左側面１１４に沿って、側面タッチセンサ１２２の左部２２４が設けられている。また、操作プレート１１の湾曲面１１２ａに沿って、側面タッチセンサ１２２の湾曲部２２２ａが設けられている。また、操作プレート１１の上面１１１に沿って、側面タッチセンサ１２２の上部２２１が設けられている。また、操作プレート１１の湾曲面１１２に沿って、側面タッチセンサ１２２の湾曲部２２２が設けられている。また、操作プレート１１の右側面１１３に沿って、側面タッチセンサ１２２の右部２２３が設けられている。そして、後述する側面タッチセンサ１２２の湾曲部２２２の頂点２２２１は、操作プレート１１の湾曲面１１２の頂点１１２１に沿って設けられている。
【００４５】
このため、左側面１１４、湾曲面１１２、１１２ａ、上面１１１、及び右側面１１３いずれかに対して手８０が接近すると、手８０が接近した位置に対応する側面タッチセンサ１２２の電極の静電容量が変化する。そして、制御部１０ａは、この電極の静電容量の変化を検知することが出来る。従って、制御部１０ａは、手８０が左側面１１４、湾曲面１１２ａ、上面１１１、湾曲面１１２、及び右側面１１３のどの位置に接近したかを検知することが出来る。
【００４６】
次に、図９のように、上部２２１、湾曲部２２２、及び右部２２３を例に、側面タッチセンサ１２２に配置されている電極２２５の様子を説明する。
【００４７】
まず、上部２２１、湾曲部２２２、右部２２３の定義を規定しておく。上部２２１は、平面からなる板形状であって、この平面は、湾曲部２２２の一端６０ａまで続いている。一方、右部２２３も平面からなる板形状であって、湾曲部２２２の一端６０ａと反対側の他端６０ｂまで続いている。
【００４８】
言い換えると、湾曲部２２２と上部２２１との境目が、湾曲部２２２の一端６０ａである。そして、湾曲部２２２と右部２２３との境目が他端６０ｂである。湾曲部２２２は、一端６０ａから他端６０ｂの全域にかけて湾曲している。
【００４９】
ここで、一端６０ａと他端６０ｂとを結ぶ仮想的な面を仮想面６０とした場合、湾曲部２２２には、仮想面６０に対する頂点２２２１が存在することになる。本実施形態において頂点２２２１は、一端６０ａからの距離と、他端６０ｂからの距離とがほぼ等しくなっている。このため、本実施形態の場合、頂点２２２１は、湾曲部２２２の中央部分に位置する。
【００５０】
側面タッチセンサ１２２の電極２２５について説明をする。電極２２５は、図９に示すように上部２２１、湾曲部２２２及び右部２２３にそれぞれ沿って、複数個所に設けられている。
【００５１】
ここで、側面タッチセンサ１２２の電極２２５の密度は、領域によって異なる。具体的には、湾曲部２２２の頂点２２２１及びその周辺である頂点領域６１に設けられる電極２２５は、頂点領域６１とは異なる領域に比べて電極２２５が密に設けられている。以下、これについて詳述する。
【００５２】
本実施形態において、頂点領域６１とは異なる領域は、３か所ある。１か所目は、湾曲部２２２のうち、頂点領域６１とは異なる領域である他部周辺領域６２である。２か所目は、右部２２３の領域である右面周辺領域６３である。３か所目は、上部２２１の領域である上面周辺領域６３ａである。これら２か所目および３か所目は、平面的に移動操作が行われる部分である。
【００５３】
そして、頂点領域６１に設けられる電極２２５は、他部周辺領域６２に設けられる電極２２５に比べて密に設けられている。また、頂点領域６１に設けられる電極２２５は、右面周辺領域６３に設けられる電極２２５に比べて密に設けられている。また、頂点領域６１に設けられる電極２２５は、上面周辺領域６３ａに設けられる電極２２５に比べて密に設けられている。なお、ここでいう密とは、移動操作する方向において、単位長さ当たりの電極２２５の数は多いということである。
【００５４】
言い換えると、頂点領域６１に設けられる複数の電極２２５間の距離は、他部周辺領域６２に設けられる複数の電極２２５間の距離に比べて短い。また、頂点領域６１に設けられる複数の電極２２５間の距離は、右面周辺領域６３に設けられる複数の電極２２５間の距離に比べて短い。また、頂点領域６１に設けられる複数の電極２２５間の距離は、上面周辺領域６３ａに設けられる複数の電極２２５間の距離に比べて短い。
【００５５】
これにより、電極の密度が高い（電極間の距離が短い）と、短い距離の移動操作が各電極２２５で検知することができる。このため、頂点領域６１における、湾曲部２２２に沿う移動操作に対する側面タッチセンサ１２２の分解能は、他部周辺領域６２における、湾曲部２２２に沿う移動操作に対する側面タッチセンサ１２２の分解能に比べて高くなる。
【００５６】
また、同様にして、頂点領域６１における、湾曲部２２２に沿う移動操作に対する側面タッチセンサ１２２の分解能は、領域６３、６３ａの分解能に比べて高くなる。すなわち、側面タッチセンサ１２２には、移動操作に対する分解能が相対的に高い領域である頂点領域６１と、移動操作に対する分解能が相対的に低い領域である他部周辺領域６２、右面周辺領域６３、及び上面周辺領域６３ａが存在している。
【００５７】
なお、説明の簡略化のために、湾曲部２２２ａ及び左面２２４に設けられる電極２２５の様子を示さなかったが、湾曲部２２２と右部２２３と同様である。すなわち、湾曲部２２２ａの頂点周辺領域に設けられる電極２２５は、左面２２４に設けられる電極２２５に比べ、密に設けられている。
【００５８】
以上により、湾曲部２２２に沿う移動操作をより確実に検知することが可能となる。また、移動操作に対する側面タッチセンサ１２２の分解能を側面タッチセンサ１２２全体において高くしないため、側面タッチセンサ１２２の製造コストが高くなることを低減することが出来る。
【００５９】
なお、側面タッチセンサ１２２の上部２２１、右部２２３、及び左部２２４は本実施形態における平面センサ部である。そして、側面タッチセンサ１２２の湾曲部２２２、湾曲部２２２ａは、本実施形態における湾曲センサ部である。
【００６０】
（第二実施形態）
上記第一実施形態において、操作装置１０は表示部１３と一体型の表示装置１とした。第二実施形態では、操作装置１０単体の例に適応した例である。本実施形態に設けられる操作装置１０は、車両に設けられる操作装置１０である。
【００６１】
図１０は、第二実施形態における操作装置１０を示している。本実施形態において、操作装置１０は自車両のセンターコンソールに設けられており、移動操作として略水平方向に操作されるものである。つまり、本実施形態において、車両の前方への進行方向が奥方向、奥方向とは反対方向を手前方向となる。そして、操作装置１０を手前方向から見た際に、右方向を右方向、左方向を左方向、上方向を上方向、下方向を下方向となる。
【００６２】
ここで、本実施例での操作装置１０は、移動操作の操作面として第一実施形態の操作装置１０におけるの湾曲面１１２だけを有する形態となっている。そして、湾曲面１１２の裏面側に沿って、タッチセンサ３２２が設けられている。そのため、タッチセンサ３２２は、湾曲面１１２に沿って、全体が湾曲している。
【００６３】
図１０に示すように、湾曲面１１２に沿う手８０の移動操作に対するタッチセンサ３２２の分解能が相対的に高い頂点領域６１と、相対的に低い他部周辺領域６２とが存在している。そして、頂点領域６１は、他部周辺領域６２に比べて、頂点１１２１寄りに設けられている。すなわち、頂点領域６１は、他部周辺領域６２に比べて、頂点３２２１寄りに設けられている。ここで、頂点１１２１は、凸状に湾曲した湾曲面１１２の先端である。また、頂点３２２１は、凸状に湾曲したタッチセンサ３２２の先端である。
【００６４】
したがって、本適応例でも上記第１実施例と同様な効果を奏することができる。
【００６５】
（その他の実施形態）
上記第一実施形態では、電極２２５は同じ大きさ、形状のものを使用した上で、頂点領域６１における電極２２５間の距離を、他部周辺領域６２や右面周辺領域６３、上面周辺領域６３ａにおける電極２２５間の距離に比べて短くした。
【００６６】
しかし、これに限られたものではなく、移動操作の方向における各電極２２５の長さを、図１１のようにその配置場所に応じて可変するようにしても良い。具体的には、頂点領域６１での移動方向における電極２２５の長さを、右面周辺領域６３や上面周辺領域６３ａでの移動方向における電極２２５の長さより短くしている。このようにしても、右面周辺領域６３や上面周辺領域６３ａに比べて、頂点領域６１には電極２２５が密に配置されている。このようにしても上記実施例と同様な効果を得ることができる。
【００６７】
なお、図１１では、頂点領域６１の移動操作に対する分解能と、他部周辺領域６２の移動操作に対する分解能とはほぼ等しい。
【００６８】
上記第一実施形態において、表示装置１は、センタコンソール上部に設けられているが、これに限るものではない。例えば、ダッシュボード中央の上部に配置されるようにしてもよい。
【００６９】
また、湾曲面１１２や湾曲部２２２を前面１１０側に設けるようにしてもよい。
【００７０】
また、上記第一実施形態において、操作体は手８０としたが、これに限るものではない。例えば、タッチペン等、適宜変更することが出来る。
【００７１】
また、湾曲面１１２は、折り曲げて形成されるものとは限らない。すなわち、操作プレート１１に、別体として湾曲面１１２を設けるようにしてもよい。
【００７２】
また、上記第一実施形態において、表示装置は、マルチインフォメーションディスプレイとしたが、これに限るものではない。例えば、表示装置１をメータとし、操作装置１０を別離して配置してもよい。
【００７３】
また、湾曲面１１２に沿う移動操作に対する分解能が相対的に高い領域は、湾曲部２２２における曲率が最も高い箇所寄りに設けられるようにしてもよい。
【００７４】
また、センサ部は、静電容量式のタッチセンサに限るものではなく、抵抗膜方式等にしてもよい。手８０の移動操作を電気的変化に基づき検知できるものであれば、適宜変更することが可能である。
【符号の説明】
【００７５】
１  表示装置、１０  操作装置、１０ａ  制御部、１１  操作プレート、１１１  上面、１１２  湾曲面、１１２１  頂点、１１３  右側面、１２１  前面タッチセンサ、１２２  側面タッチセンサ、１３  表示部、２２１  上部、２２２  湾曲部、２２２１  頂点、２２３  右部、２２５  電極、３２２  タッチセンサ、３２２１  頂点、６０  仮想面、６０ａ  一端、６０ｂ  他端、６１  頂点周辺領域、６２  他部周辺領域、６３  右面周辺領域、６３ａ  上面周辺領域、８０  手、９０  ステアリングホイール。
【図１】
0006350310.tif 000002
【図２】
0006350310.tif 000003
【図３】
0006350310.tif 000004
【図４】
0006350310.tif 000005
【図５】
0006350310.tif 000006
【図６】
0006350310.tif 000007
【図７】
0006350310.tif 000008
【図８】
0006350310.tif 000009
【図９】
0006350310.tif 000010
【図１０】
0006350310.tif 000011
【図１１】
0006350310.tif 000012